(57)【要約】【課題】建築物の屋上又は屋根に、簡単且つ安価に施工できる建築物の外断熱構造を提供することを課題とする。【解決手段】、所定の大きさからなる粒状の発泡ガラス材５・５・・・を、通気性及び通水性のある容器８に収容して断熱ユニット６を構成し、該断熱ユニット６を建築物の躯体１の表面上に敷設して断熱層７を形成して、躯体１に外断熱構造を施工する。前記躯体１がコンクリートからなる場合、躯体１と断熱層７との間に一次防水層２と二次防水層３とからなる二層の防水層を形成する。【選択図】図１
2006161430.tif 000002
【特許請求の範囲】
【請求項１】
所定の大きさからなる粒状の発泡ガラス材を、通気性及び通水性のある容器に収容して断熱ユニットを構成し、該断熱ユニットを建築物の躯体の表面上に敷設して断熱層を形成したことを特徴とする建築物の外断熱構造。
【請求項２】
前記建築物の躯体と断熱層との間に防水層を形成したことを特徴とする請求項１に記載の建築物の外断熱構造。
【請求項３】
前記躯体の表面上に敷き詰めた各断熱ユニットを、隣接する断熱ユニットと結束したことを特徴とする請求項１又は請求項２に記載の建築物の外断熱構造。
【請求項４】
前記発泡ガラス材が、廃棄ガラスを発泡焼成して破砕したものであることを特徴とする請求項１から請求項３のいずれか一項に記載の建築物の外断熱構造。
【発明の詳細な説明】
【技術分野】
【０００１】
本発明は、建築物の躯体に断熱材を敷設して施工する外断熱構造に関する。
【背景技術】
【０００２】
従来から、建築物の躯体外側に断熱材を敷設して、建築物の躯体と外部との間を断熱する外断熱構造は公知となっている。この外断熱構造では、建築物の躯体の外側に断熱材が存在するため、外気温や太陽光線の照射によるコンクリート等の躯体への影響を排除することができる。つまり、外気温が高い夏期においては、断熱材が外気温や太陽光線を遮断するため、躯体が高温になることがない。そのため、室内の冷房負荷を低減することができる。一方、外気温が低い冬期においては、断熱材により躯体が外気温の影響を受けて低温になることがない。よって、室内を暖房しても室外へ熱が逃げにくいため、室内の暖房負荷を低減することができる。また、躯体が直接に外気に触れることがないため、風雨や寒暑等の厳しい気象条件から躯体を保護することができる。
【０００３】
そこで、このような外断熱構造を建築物の屋上や外壁部等に施工することで、都市部で問題となっているヒート・アイランド現象による平均気温の上昇に伴う生活環境の悪化を改善することを可能としている。例えば、外断熱構造としては、建築物の躯体外壁面にモルタル層を塗布等により形成し、このモルタル層の上に発泡ガラス材を用いた断熱材を貼り付け、さらに、この断熱材の上にタイル等を一体的に設けたもの（例えば、特許文献１参照。）や、発泡ガラス材をバインダーを用いて結合して成形するブロックを断熱材として屋上の一部に敷設するもの（例えば、特許文献２参照。）、ガラスを発泡状態に焼結して形成された塊状の発泡ガラス材を屋上に敷設するもの（例えば、特許文献３参照。）が提案されている。
【特許文献１】特開２００３−２２７２２１号公報
【特許文献２】特開２００３−２７４０７号公報
【特許文献２】特開２０００−７２４８０号公報
【発明の開示】
【発明が解決しようとする課題】
【０００４】
しかし、特許文献１に示されるような技術では、建築物に外断熱構造を施す際に、タイルと断熱材と一体的に構成した外断熱タイルを製造し、この外断熱タイルをモルタル層を介して建築物の躯体表面に取り付ける必要があるので、施工時において手間がかかるとともに、コストが高くなるという不具合がある。さらに、特許文献２に示されるような技術では、断熱材を用いた外断熱構造の施工コストは低くできるが、該断熱材の製造時に加工工数や部材が多くなって製造コストが高くなるので、外断熱構造の施工時にかかる費用は全体的に高くなり、また特許文献３に示されるような技術では、平坦な屋上にしか外断熱構造を施工することができないという問題がある。
【０００５】
そこ本発明は、建築物の屋上又は屋根に、簡単且つ安価に施工できる外断熱構造を提供することを課題とする。
【課題を解決するための手段】
【０００６】
本発明の解決しようとする課題は以上の如くであり、次にこの課題を解決するための手段を説明する。
【０００７】
即ち、請求項１においては、所定の大きさからなる粒状の発泡ガラス材を、通気性及び通水性のある容器に収容して断熱ユニットを構成し、該断熱ユニットを建築物の躯体の表面上に敷設して断熱層を形成したものである。
【０００８】
請求項２においては、前記建築物の躯体と断熱層との間に防水層を形成したものである。
【０００９】
請求項３においては、前記躯体の表面上に敷き詰めた各断熱ユニットを、隣接する断熱ユニットと結束したものである。
【００１０】
請求項４においては、前記発泡ガラス材が、廃棄ガラスを発泡焼成して破砕したものであるものである。
【発明の効果】
【００１１】
本発明の効果として、以下に示すような効果を奏する。
【００１２】
請求項１においては、断熱ユニットを断熱材として用いて、建築物に対し優れた断熱効果を得ることができる。したがって、躯体が外気の影響を受け難くなるので、外気によって夏期に室内が高温なることと冬期に低温になることを防止でき、室内における冷房及び暖房負荷を低減することができる。さらに、発泡ガラス材が躯体及び躯体に施した防水層を外気及び太陽光線から遮断するため、躯体の劣化を低減させることができる。また、簡単な作業で外断熱構造を建築物に施すことができ、施工コストを安くできる。
【００１３】
またさらに、断熱ユニットを軽量化することができるので、運搬が容易となり、施工時の省力化を図るとともに、断熱ユニットの加工を簡単にして、製造コストを低減させることができる。そのため、施工コスト及び製造コストを抑えて、外断熱構造の施工時にかかる費用を全体的に低くすることができる。
【００１４】
また、発泡ガラス材を一つの断熱ユニットとして利用できるので、平坦な屋上に限らず、傾斜屋根等にも外断熱構造を施すことができる。そのため、断熱材として機能する断熱ユニットが傾斜屋根などに広く適用可能となり、より多くの建築物に外断熱構造を容易且つ低コストで施すことができる。
【００１５】
請求項２においては、躯体がコンクリートからなる場合に、防水層により躯体への水分の浸透を防止して、躯体を保護することができる。
【００１６】
請求項３においては、屋上に敷設した断熱ユニットが暴風等により飛散するのを防止できる。
【００１７】
請求項４においては、廃棄ガラスを有効に再利用でき、環境的に好ましい。また、廃棄ガラスをガラス原料として利用するため、コストを安価にできる。
【発明を実施するための最良の形態】
【００１８】
次に、発明の実施の形態を説明する。
【００１９】
図１は本発明の一実施例に係る外断熱構造の断面図、図２は断熱ユニットの斜視図、図３は屋上に断熱ユニットを敷き詰めた状態を示す図、図４は傾斜屋根に断熱ユニットを敷設した場合における外断熱構造の断面図である。
【００２０】
図１に示すように、建築物、例えばコンクリート建築物の屋上において、躯体１の表面上に防水材を施して防水層２・３を形成し、この防水材の上面に防水層２・３を保護する保護材を敷設して保護層４を形成し、更に保護材の上面に所定の大きさからなる粒状の発泡ガラス材５・５・・・を収集して構成した断熱ユニット６を断熱材として敷設して断熱層７を形成することで、本発明の外断熱構造を躯体１上に積層状に施工する。
【００２１】
前記外断熱構造を建築物に施す際には、まず屋上躯体１の表面上に防水層２・３を設ける。防水層２・３は一次防水層２と二次防水層３とから構成されるものであり、屋上躯体１の表面上に防水材を施して一次防水層２を形成し、躯体１への水分の浸透を防止して、躯体１を保護する。
【００２２】
一次防水層２を形成するために用いる防水材としては、例えば一般的に知られている浸透性のコンクリート改質材を用いる。コンクリート改質材は屋上躯体１の表面に塗布されると、コンクリートからなる屋上躯体１の表面部に浸透し一次防水層２を形成する。
【００２３】
前記コンクリート浸透性改質材は、屋上躯体１のクラック１ａが発生している箇所では、主成分となるナトリウムシリケートがクラック１ａに浸透し、コンクリート内部の各種カルシウムと水と二酸化炭素と反応してゲル化し、その後ガラス状の固形物となり、クラック１ａを埋めて防水効果を発揮する。
【００２４】
なお、クラック１ａのない箇所では、コンクリート浸透性改質材はゲル状を維持し続けて固形化はせず、新たにクラックが発生する等して二酸化炭素が侵入した場合に再びクラックを防ぎながら固形化し、防水効果を保持する。
【００２５】
そして、前記一次防水層２を形成する防水材の上面に別の防水材を施して二次防水層３を形成する。この防水材としては、例えば耐候性に優れるアクリルゴム系防水材を用いる。アクリルゴム系防水材は、前記コンクリート浸透性改質材により形成された一次防水層２上に二次防水層３を形成し、一次防水層２を保護する。
【００２６】
続いて、前記二次防水層３を形成する防水材の上面に防水層保護材を敷設して保護層４を形成する。この防水層保護材としては、例えば不織布を利用し、この不織布により二次防水層３上面に保護層４を形成し、防水材上に敷設する後述の断熱材から防水層２・３を保護する。
【００２７】
次に、前記保護層４を形成する保護材の上面に断熱材を敷設して断熱層７を形成する。この断熱材としては、図２に示すように、きわめて軽量である上、優れた断熱性及び通気性、通水性を有する発泡ガラス材５・５・・・を容器８に収容して構成する断熱ユニット６を使用する。発泡ガラス材５・５・・・は、所定の大きさの粒からなるものであり、連続気泡を有する状態に発泡している。
【００２８】
前記発泡ガラス材５・５・・・を収容する容器８は網などの通気性及び通水性がある袋や箱から構成し、躯体１の表面上に隙間なく敷き詰めるような形状としている。本実施例では、容器８はステンレス製の網を直方体の袋状に形成し、その網目を発泡ガラス材５・５・・・が漏れ落ちない程度の大きさとして、発泡ガラス材５・５・・・の特性を損なわず十分な通気性及び通水性を備えるように構成している。こうして、断熱ユニット６を軽量化し、運搬を容易とし、施工時の省力化を図るとともに、断熱ユニット６の加工を簡単にして、製造コストを低減可能としている。
【００２９】
なお、前記容器８に発泡ガラス材５・５・・・を収容する際に、発泡ガラス材５・５・・・の粒径が小さすぎると発泡ガラス材５・５・・・の間の空隙が少なくなって、断熱層７の断熱性及び通気性、通水性が低下し、大きすぎると空隙が大きくなって断熱層７の強度が低下するので、発泡ガラス材は好ましくは平均粒径を５〜１５ｍｍとする。また、容器８の厚さを変更することで、断熱ユニット６の強度や断熱性を適切な範囲に任意に調整することが可能である。
【００３０】
前記発泡ガラス材５・５・・・は、ガラス瓶やガラス板等の廃棄ガラスを発泡焼成し、焼成したものを破砕して製作したものである。つまり、廃品として回収された廃棄ガラスを用いることで、原料コストを安くするとともに、ガラスを有効に再利用して、環境的にも好ましいものとしている。特に、発泡ガラス材５・５・・・は、原料ガラスの色が特定されないため、廃棄ガラスを発泡ガラス材５・５・・・として利用すると、種々の色に着色している廃棄ガラスを色で選別することなく使用でき、廃棄ガラスのリサイクルの作業をも軽減できる。ただし、発泡ガラス材５・５・・・の原料には、必ずしも廃棄ガラスを使用する必要はなく、バージン原料、あるいはバージン原料に廃棄ガラスを添加したものを使用することもできる。
【００３１】
そして、前述のように発泡ガラス材５・５・・・を容器８に収容して構成した断熱ユニット６を断熱材として躯体１の表面上に隙間なく敷き詰める。これにより、建築物の屋上躯体１上に発泡ガラス材５・５・・・にて断熱層７を形成して外断熱構造を施工することができ、優れた断熱効果を得ることができる。したがって、屋上躯体１が外気の影響を受け難くなるので、外気によって夏期に高温なることや冬期に低温になることを防止でき、室内における冷房及び暖房負荷を低減することができる。また、発泡ガラス材５・５・・・が躯体１及び躯体１に施した防水層２・３を外気及び太陽光線から遮断するため、躯体１の劣化を低減させることができる。
【００３２】
さらに、簡単な作業で外断熱構造を建築物に施すことができ、施工コストを安くできる。そのため、施工コスト及び製造コストを抑えて、外断熱構造の施工時にかかる費用を全体的に低くすることができる。
【００３３】
また、金属板からなる屋根を備える建築物においては、図４に示すように、屋根躯体１０の表面上に断熱ユニット６・６・・・を敷設することで、躯体１０上に断熱層１１を形成し、外断熱構造を施工する。これにより、コンクリート建築物の場合と同様の効果を得ることができ、特に、金属板の場合熱伝導率が高いため、屋内は夏季は暑くなり易く、冬季には冷え易くなるが、断熱層１１を備えると屋内の気温の変化が小さくなり過ごし易くなる。よって、簡単な構成で安価に形成した金属屋根の場合であっても、本発明の断熱層１１を形成することで、簡単に屋内の変化を小さくすることができるのである。
【００３４】
そしてさらに、前記断熱ユニット６・６・・・を用いることで、平坦な屋上に限らず、傾斜屋根などにも外断熱構造を施すことが可能となる。例えば、図４に示すように、傾斜屋根の躯体１０の外側縁部に支持板１２を滑り止めとして立設し、該支持板１２で断熱ユニット６・６・・・を支持しながら下から順に断熱ユニット６・６・・・を躯体１０の表面上に敷設することで、躯体１０上に断熱層１１を簡単に形成することができる。そのため、断熱ユニット６・６・・・からなる断熱材はコンクリート建築物の平坦な屋上や金属板からなる傾斜屋根などに広く適用可能となり、より多くの建築物に外断熱構造を容易且つ低コストで施すことができる。
【００３５】
また、建築物の屋上又は屋根に断熱ユニット６・６・・・を敷き詰めた際には、図３、図４に示すように、隣接する断熱ユニット６を互いに紐１５などを用いて結束する。前記発泡ガラス材５・５・・・は比重が小さいため、単体では断熱ユニット６ごと暴風などにより屋上から飛散してしまう恐れがある。そこで、各断熱ユニット６を隣接する断熱ユニット６と結束し、複数の断熱ユニット６・６・・・を一体的に構成することで、断熱ユニット６・６・・・の飛散を防止している。
【図面の簡単な説明】
【００３６】
【図１】本発明の一実施例に係る外断熱構造の断面図。
【図２】断熱ユニットの斜視図。
【図３】屋上に断熱ユニットを敷き詰めた状態を示す図。
【図４】傾斜屋根に断熱ユニットを敷設した場合における外断熱構造の断面図。
【符号の説明】
【００３７】
１    躯体
２    防水層
５    発泡ガラス材
６    断熱ユニット
７    断熱層
８    容器
【図１】
2006161430.tif 000003
【図２】
2006161430.tif 000004
【図３】
2006161430.tif 000005
【図４】
2006161430.tif 000006